(57)【要約】【課題】複数の表示部のうち一つの表示部から発せられた光を、適切に観察者に視覚されるように伝搬し、その結果、観察者に好適に立体感のある画像を視覚せしめる。【解決する手段】表示装置（１）は、観察者の視線上で複数の画像を、所定距離を隔てて重ねて表示することで立体表示を行う表示装置であって、表示画面内に離散的に平面配置されており光を発する複数の発光部（１１−１）と、表示画面内における発光部が占める各領域を除く領域内に離散的に平面配置されており光を透過する複数の透過部（１１−２）とを備えた第１表示手段（１１）と、前記観察者から見て前記第１表示手段の後方に相前後して配置された第２表示手段（１２）とを備える。【選択図】  図１
2004226857.tif 000002
【特許請求の範囲】
【請求項１】
観察者の視線上で複数の画像を、所定距離を隔てて重ねて表示することで立体表示を行う表示装置であって、
（ｉ）表示画面内に離散的に平面配置されており光を発する複数の第１発光部と、前記表示画面内における前記複数の第１発光部が占める各領域を除く領域内に離散的に平面配置されており光を透過する複数の透過部とを備えた表示デバイスを含んでなる第１表示手段と、
（ｉｉ）前記観察者から見て前記第１表示手段の後方に相前後して配置された第２表示手段と
を備えたことを特徴とする表示装置。
【請求項２】
前記第２表示手段は、表示画面内の少なくとも一部に離散的に平面配置されており光を発する複数の第２発光部を備えた他の表示デバイスを含んでなることを特徴とする請求項１に記載の表示装置。
【請求項３】
前記第２発光部は、一画素毎に一つずつ又は複数画素毎に一つずつ平面配置されていることを特徴とする請求項２に記載の表示装置。
【請求項４】
前記第２発光部の夫々は、前記透過部の夫々に対応して平面配置されていることを特徴とする請求項２又は３に記載の表示装置。
【請求項５】
前記第２発光部の夫々の大きさは、前記透過部の夫々の大きさと相等しいことを特著とする請求項２から４のいずれか一項に記載の表示装置。
【請求項６】
前記第２表示手段は、エレクトロルミネッセンス表示デバイスであることを特徴とする請求項１から５のいずれか一項に記載の表示装置。
【請求項７】
表示画面内に離散的に平面配置されており光を発する複数の発光部と、
前記表示画面内における前記複数の発光部が占める各領域を除く領域内に離散的に平面配置されており光を透過する複数の透過部と
を備えたことを特徴とする表示デバイス。
【請求項８】
前記複数の発光部は、一画素毎に一つずつ又は複数画素毎に一つずつ平面配置されていることを特徴とする請求項７に記載の表示デバイス。
【請求項９】
前記複数の発光部及び前記複数の透過部は、少なくとも夫々一つずつ同一画素内に平面配置されていることを特徴とする請求項７又は８に記載の表示デバイス。
【請求項１０】
前記複数の発光部は夫々、エレクトロルミネッセンス発光層と前記表示画面を基準とする前記エレクトロルミネッセンス発光層の裏側に配置された反射層とを有し、
前記複数の透過部は、前記反射層の間隙に位置する透光性部分を有することを特徴とする請求項７から９のいずれか一項に記載の表示デバイス。
【請求項１１】
前記反射層は、前記エレクトロルミネッセンス発光層に対して前記裏側から駆動電圧を印加する一対の電極の一方として機能する金属電極層からなることを特徴とする請求項１０に記載の表示デバイス。
【請求項１２】
前記一対の電極の他方は、前記表示画面を基準とする前記エレクトロルミネッセンス発光層の前側に配置された透明電極層からなることを特徴とする請求項１１に記載の表示デバイス。
【発明の詳細な説明】
【０００１】
【発明の属する技術分野】
本発明は、複数の表示手段を観察者の視線方向に相前後して配置し、これらの表示手段に画像を重ねて表示することにより当該物体を立体的に表示する表示装置、及び該表示装置を構成する表示手段として好適に用いられる表示デバイスの技術分野に属する。
【０００２】
【従来技術】
従来、立体視することが可能な表示装置として種々の形態のものが提案され、或いは実用化がなされている。例えば、電気的に書き換え可能であり、立体的な画像を表示することが可能な表示装置として、液晶シャッタ眼鏡方式等が良く知られている。この液晶シャッタ眼鏡方式はカメラで物体を異なる方向から撮影し、得られた視差情報を含む画像データを合成して１つの画像信号に合成し、表示装置に入力し表示する。観察者は液晶シャッタ眼鏡をかけ、例えば奇数フィールド時に右目用の液晶シャッタを透過状態とし左目用の液晶シャッタを光遮断状態とする。一方、偶フィールド時に左目用の液晶シャッタを透過状態とし右目用の液晶シャッタを光遮断状態とする。このとき、奇数フィールドに右目用の画像を、偶フィールドに左目用の画像を同期して表示することで右目用、左目用の視差を含む画像を夫々の目で見ることにより立体的な画像を視覚するものである。
【０００３】
又、観察者の視線上に相前後して複数の表示部を配置し、それらに表示される画像を重ねて見ることによって、奥行き方向には離散的であるが、立体的な画像として視覚される表示装置がある。又、その離散的な状態を改善するために、表示装置の夫々に表示される画像の輝度に変化を付けることによって、離散的な位置の中間位置に物体があるかの様に視覚され、より立体感が自然となるように改良された表示装置がある。例えば、複数のハーフミラーを用いて複数の表示部からの物体像を重ねて表示することで、半透明な物体や後ろの物体が透けて見えるような表示を可能ならしめる、輝度変調型の表示装置が提案されている（例えば、特許文献１参照）。
【０００４】
【特許文献】
特開２０００−１１５８１２号公報
【０００５】
【発明が解決しようとする課題】
しかしながら、これらの観察者の視線上に相前後して配置された複数の表示部を有する表示装置では、一の表示部に表示される画像が他の表示部に映りこみ、その結果、観察者に適切に表示されないという技術的な問題点を有する。例えば光透過性を有する一の表示部から発せられた光は、光透過性を有するため観察者の側のみならず、観察者の側から見て後方へも伝搬する。この場合、観察者の側から見て一の表示部の後方にある他の表示部の表示面に、一の表示部から発せられた光が映りこむことで、観察者は、本来認識するべき適切な画像とは異なる画像を視覚することとなる。即ち、立体表示に係る画像を適切な状態で表示することが困難或いは不可能となり、輝度変調型等の型式を問わずに、立体表示を適切に実施することが困難になるという技術的な問題点が生じる。
【０００６】
加えて、このような映り込みを引き起こす光の分だけ、光が無駄使いされており、表示のための光の利用効率が悪いという技術的問題点もある。
【０００７】
本発明は、例えば上述の問題点に鑑みなされたものであり、例えば、複数の表示部のうち一の表示部に表示される画像を、適切な状態で観察者に視覚させ、その結果、観察者に好適に立体感のある画像を視覚せしめる表示装置及び該表示装置を構成する表示手段として好適に用いられる表示デバイスを提供することを課題とする。
【０００８】
【課題を解決するための手段】
上記課題を解決するために、請求項１に記載の表示装置は、観察者の視線上で複数の画像を、所定距離を隔てて重ねて表示することで立体表示を行う表示装置であって、（ｉ）表示画面内に離散的に平面配置されており光を発する複数の第１発光部と、前記表示画面内における前記複数の第１発光部が占める各領域を除く領域内に離散的に平面配置されており光を透過する複数の透過部とを備えた表示デバイスを含んでなる第１表示手段と、（ｉｉ）前記観察者から見て前記第１表示手段の後方に相前後して配置された第２表示手段とを備える。
【０００９】
上記課題を解決するために、請求項７に記載の表示デバイスは、表示画面内に離散的に平面配置されており光を発する複数の発光部と、前記表示画面内における前記複数の発光部が占める各領域を除く領域内に離散的に平面配置されており光を透過する複数の透過部とを備える。
【００１０】
本発明の作用及び利得は次に説明する実施の形態から明らかにされよう。
【００１１】
【発明の実施の形態】
本発明の実施形態について以下に説明する。
【００１２】
本発明の表示装置に係る実施形態の態様では、観察者の視線上で複数の画像を、所定距離を隔てて重ねて表示することで立体表示を行う表示装置であって、（ｉ）表示画面内に離散的に平面配置されており光を発する複数の第１発光部と、前記表示画面内における前記複数の第１発光部が占める各領域を除く領域内に離散的に平面配置されており光を透過する複数の透過部とを備えた表示デバイスを含んでなる第１表示手段と、（ｉｉ）前記観察者から見て前記第１表示手段の後方に相前後して配置された第２表示手段とを備える。
【００１３】
本発明の表示装置に係る実施形態によれば、その動作時には、上述の如く第１発光部と透過部とを備えた第１表示手段、及び第１表示手段の後方（即ち、観察者の側から見て奥側或いは遠い方）に配置された第２表示手段の夫々に立体表示用の画像を表示する。ここで、第２表示手段に表示される画像は、複数の透過部を備えた第１表示手段を透過して観察者に視覚させることが可能である。従って、本発明の表示装置に係る表示装置は、第１表示手段及び第２表示手段の夫々に表示される立体表示用の画像を、観察者の視線上で重ねて表示可能である。これにより、立体表示或いは三次元表示を行うことが可能となる。即ち、観察者は立体的な画像を視覚することが可能となる。
【００１４】
例えば、輝度変調型の立体表示であれば、二つの表示手段（即ち、第１表示手段及び第２表示手段）で表示される同一画像部分についての輝度の割振によって、二つの表示手段間におけるいずれかの奥行位置に画像が存在するように見える、連続的な立体表示が可能となる。或いは、画像部分が、二つの表示手段のいずれかに表示されている離散的な立体表示が可能となる。更に、三つ以上の表示手段間のいずれかの位置に画像が存在するように見える、連続的又は離散的な立体表示も可能となる。
【００１５】
本実施形態の表示装置では特に、第１表示手段の第１発光部から発せられた光は、例えば後述の反射層により、第２表示手段の側（即ち、観察者とは反対の側或いは表示画面とは反対の側）へ向かって伝搬することなく、観察者の側へ向かって伝搬することとなる。このため、仮に第２表示手段の側へ向かって伝搬する光が発生したと仮定した場合（即ち、第１表示手段が第１発光部と透過部とを備えていない光透過性を有する表示デバイスと仮定した場合）に発生しうる、第２表示手段の表示画面上における反射光の発生を防止することが可能となる。従って、第１表示手段が表示する画像が、第２表示手段に映り込んだ画像として、観察者に視覚される不都合を防ぐことが可能という大きな利点を有することとなる。係る利点は、特に複数の画像を観察者の視線上で重ねて表示する立体表示方式において極めて大きな利点となるものである。
【００１６】
以上の結果、本実施形態に係る表示装置によれば、第１表示手段から発せられる光が第２表示手段の表示画面上に映り込むことを防止することが可能となる。従って、第１表示手段及び第２表示手段の夫々に表示される立体表示用の画像に影響を与えることなく、観察者に適切に視覚させることが可能となる。これにより、観察者は、視線上において適切に重なった立体表示用の画像を視覚することで、立体的な画像を視覚することが可能となる。
【００１７】
尚、本実施形態において、立体表示方式或いは三次元表示方式として、輝度変調方式の他、任意の立体表示方式或いは三次元表示方式を採用しても、上述の如き効果と同様の効果を得ることが可能である。
【００１８】
又、第２表示手段は、エレクトロルミネッセンス表示デバイスを用いることが好ましい。或いは、光透過性を有する必要はないため、ブラウン管表示デバイスやプラズマ表示デバイス、電界電子放出表示デバイス或いは液晶表示デバイス等の表示デバイスを用いても、本実施形態に係る表示装置と同様の効果を得ることは可能である。
【００１９】
尚、第１表示手段の前方（即ち、観察者の側から見て手前側或いは近い方）に更に発光部と透過部とを有する表示手段を備えていても、即ち、三つ以上の複数の表示手段を備えていても、本実施形態に係る表示装置と同様の効果を得ることが可能である。
【００２０】
本発明の表示装置に係る実施形態の一の態様では、前記第２表示手段は、表示画面内の少なくとも一部に離散的に平面配置されており光を発する複数の第２発光部を備えた他の表示デバイスを含んでなる。
【００２１】
この態様によれば、複数の第２発光部を有する第２表示手段を用いて、複数の第２発光部のうち所望の第２発光部から光を発することで、適切な画像を表示することが可能となる。
【００２２】
加えて、後述するように、透過部と対応するように第２発光部を配置することで、第２表示手段から発せられる光を適切に観察者に視覚させることも可能である。
【００２３】
本発明の表示装置に係る実施形態の他の態様では、前記第２発光部は、一画素毎に一つずつ又は複数画素毎に一つずつ平面配置されている。
【００２４】
この態様によれば、一画素毎に一つの第２発光部を備えることで、表示画面の精細度を変えることなく、第２表示手段に適切に画像を表示することが可能となる。
【００２５】
或いは、複数画素毎に一つの第２発光部を備えることで、表示画面の精細度は若干低下することとなるが、第２表示手段の構成を簡略化することが可能という大きな利点を有する。
【００２６】
何れの態様であっても、所望の画像を適宜表示することが可能となる。
【００２７】
上述の如く第２発光部を有する第２表示手段を備えた表示装置の態様では、前記第２発光部の夫々は、前記透過部の夫々に対応して平面配置されているように構成してもよい。
【００２８】
このように構成すれば、第２発光部から発せられた光は、第１表示手段の透過部へ向かって適切に伝搬可能となる。即ち、第１表示手段へ向かって伝搬する光は、観察者に視覚されることはないため、観察者に視覚されうる光を選択して、適切に発することが可能となる。これにより、第２発光部の発光に係る例えば消費電力量を低減可能という実践上大きな利点を有することとなる。
【００２９】
又、第１表示手段の第１発光部に向かって伝搬する光が存在すると仮定すると、このような光は該第１発光部に係る例えば反射層により反射されることとなる。この反射された光は、ノイズ光として観察者に視覚されるおそれもありうる。
【００３０】
しかるにこのように構成することで、第２表示手段の第２発光部は、第１表示手段の透過部に向かって伝搬する光を選択して発することで、係るノイズ光の発生を低減或いは防止することが可能となる。従って、観察者はノイズ光を視覚することなく、第１表示手段及び第２表示手段に表示される立体表示用の画像を、その画像本来の状態で視覚し、視線上において適切に重ねて視覚することが可能となる。
【００３１】
但し、係るノイズ光の発生は、立体表示用の画像の視覚を困難或いは不可能とするような大きな影響を及ぼすものではなく、係るノイズ光を防止すれば極めて精細な立体的な画像を視覚することが可能となるが、防止せずとも立体表示用の画像を重ねて視覚することは可能であるという程度のものである。
【００３２】
上述の如く第２発光部を有する第２表示手段を備えた表示装置の態様では、前記第２発光部の夫々の大きさは、前記透過部の夫々の大きさと相等しいように構成してもよい。
【００３３】
このように構成すれば、第２発光部から発せられた光は、適切に透過部を透過することが可能となる。即ち、当該光が第１発光部等によって反射されることをより防止し、且つ反射による光の減衰もなく適切に観察者に視覚されることが可能である。従って、上述のノイズ光の発生を防ぐと共に、第２表示手段から発せられた光をより適切に観察者に視覚させることが可能となる。
【００３４】
これにより、観察者は、第２表示手段に表示される画像を適切に視覚すると共に、第１表示手段に表示されている画像と重ねて視覚することで立体的な画像を視覚することが可能となる。
【００３５】
本発明の表示装置に係る実施形態の他の態様では、前記第２表示手段は、エレクトロルミネッセンス表示デバイスである。
【００３６】
この態様によれば、エレクトロルミネッセンス表示デバイスを用いて、立体表示を可能とならしめる表示装置を構成することが可能である。
【００３７】
更に、本発明の表示デバイスに係る実施形態と同様に、第２表示手段に係るエレクトロルミネッセンス層の一部を発光させることで、第１表示手段の透過部を透過する第２発光部を形成することが可能となる。或いは、エレクトロルミネッセンス層を第１表示手段の透過部に対応するように形成してもよい。この場合には、第２発光部はエレクトロルミネッセンス層となる。
【００３８】
尚、エレクトロルミネッセンス表示デバイスであれば、ボトムエミッション方式であってもよいし、トップエミッション方式であってもよい。又、パッシブマトリックス駆動方式であってもよいし、アクティブマトリックス駆動方式であってもよい。
【００３９】
本発明の表示デバイスに係る実施形態は、表示画面内に離散的に平面配置されており光を発する複数の発光部と、前記表示画面内における前記複数の発光部が占める各領域を除く領域内に離散的に平面配置されており光を透過する複数の透過部とを備える。
【００４０】
本発明の表示デバイスに係る実施形態によれば、表示画面内に離散的に平面配置されている複数の発光部は、夫々が独立して光を発することが可能に構成されている。複数の発光部の夫々に、例えばマイコン等により発光を制御する信号を所望のタイミングにて入力することで、所望の発光部を発光させる。これらの複数の発光部のうち所望の発光部が発する光の集合により、表示画面内に画像を適宜映し出すことが可能である。従って、観察者は、本実施形態に係る表示デバイスに表示される画像を視覚することとなる。
【００４１】
更に、表示画面内に離散的に平面配置された複数の透過部の夫々に光が入射した場合、該入射した光は、本実施形態に係る表示デバイスを透過して伝搬していくこととなる。従って、例えば、観察者の側から見て本実施形態に係る表示デバイスの後方から伝搬してくる光は、当該表示デバイスを透過して伝搬可能である。即ち、観察者は、本実施形態に係る表示デバイスを介して、該表示デバイスの後方側を視覚することが可能となる。従って、観察者は、本実施形態に係る表示デバイスの後方に存在する、例えば風景或いは物体等を視覚することが可能となる。或いは、例えば当該表示デバイスの後方に所定の表示デバイスが配置されていた場合、観察者は、その所定の表示デバイスに表示される画像或いは映像等を視覚することが可能となる。
【００４２】
以上の結果、複数の発光部と複数の透過部とを備えることで、所望の画像を適宜表示可能であると共に、光透過性を有する表示デバイスを実現することが可能である。このため、観察者は、本実施形態に係る表示デバイスの表示画面に表示される画像を視覚すると共に、該表示デバイスの後方に存在する、例えば風景、物体、画像或いは映像等を視覚することが可能となる。
【００４３】
従って、例えば上述したように、本実施形態に係る表示デバイスと、所定の表示デバイスとを、観察者の視線上において相前後して配置することで、立体表示を可能とする表示装置を構成することが可能となる。
【００４４】
尚、発光部は光透過性を有していなくとも、透過部を備えていることで表示デバイスとしては光透過性を有することが可能となる。従って、この場合、複数の発光部から発せられた光は、例えば後述の反射層の作用によって表示画面の側へ向かって伝搬することとなる。
【００４５】
尚、発光部及び透過部は夫々が所定の関係を配置されていてもよい。即ち、例えば一つの発光部及び一つの透過部を有する領域を一単位として、該一単位ごと表示画面内に離散的に平面配置してもよい。
【００４６】
また、複数の発光部及び複数の透過部の夫々の平面配置は、例えば格子状の配置パターンに基づいて行ってもよい。
【００４７】
本発明の表示デバイスに係る実施形態の一の態様では、前記複数の発光部は、一画素毎に一つずつ又は複数画素毎に一つずつ平面配置されている。
【００４８】
この態様によれば、一画素毎に一つの発光部を備えることで、表示画面の精細度を変えることなく、本発明の表示デバイスに係る実施形態と同様の効果を得ることが可能となる。即ち、表示画面内に表示される画像の品質（即ち、画質）を維持可能という大きな利点を有することとなる。
【００４９】
或いは、複数画素毎に一つの発光部を備えることで、表示画面の精細度は若干低下することとなるが、表示デバイスの構成を簡略化することが可能という大きな利点を有する。
【００５０】
何れの態様であっても、所望の画像を適宜表示すると共に、光透過性を有する表示デバイスを実現することが可能となる。
【００５１】
尚、透過部についても、発光部に係る構成と同様に、一画素毎に一つずつ備えていてもよいし、或いは複数画素毎に一つずつ備えていてもよい。或いは、そのいずれの構成でなくとも、本発明の表示デバイスに係る実施形態と同様の効果を得ることは可能である。
【００５２】
本発明の表示デバイスに係る実施形態の他の態様では、前記複数の発光部及び前記複数の透過部は、少なくとも夫々一つずつ同一画素内に平面配置されている。
【００５３】
この態様によれば、一つの画素毎に一つの発光部を配置することで、画面の精細度を変えることなく、表示画面に画像を表示することが可能となる。更に、一つの画素毎に一つの透過部を配置することで、表示画面全体として光透過性を有することとなる。従って、表示画面全体を通して、その後方に存在する風景、物体、画像或いは映像等を視覚することが可能となる。
【００５４】
これにより、表示画面全体に適切に画像を表示可能であると共に、表示画面全体として光透過性を有する表示デバイスを実現することが可能となる。
【００５５】
尚、一つの発光部と一つの透過部との大きさは相等しいものであってもよいし、相異なるものであってもよい。
【００５６】
本発明の表示デバイスに係る実施形態の他の態様では、前記複数の発光部は夫々、エレクトロルミネッセンス発光層と前記表示画面を基準とする前記エレクトロルミネッセンス発光層の裏側に配置された反射層とを有し、前記複数の透過部は、前記反射層の間隙に位置する透光性部分を有する。
【００５７】
この態様によれば、自発光性を有するエレクトロルミネッセンス発光層は、表示画面側及び表示画面とは反対の側（即ち、表示画面を基準とするエレクトロルミネッセンス発光層の裏側）の双方へ向かって光を発する。この場合、表示画面とは反対の側へ向かって発する光は、反射層により反射され、表示画面側へ伝搬することとなる。これにより、エレクトロルミネッセンス発光層から発せられた光は、適切に表示画面側に伝搬することとなり、その結果、表示画面に適切な画像を表示することが可能となる。
【００５８】
更に、反射層の存在しない透光性部分（即ち、反射層の間隙）は、光透過性を有する。従って、これらの部分が複数の透過部を構成することとなる。
【００５９】
以上の結果、いわゆるエレクトロルミネッセンス表示デバイスを用いて、発光部と透過部とを備えた表示デバイスを実現することが可能となる。尚、エレクトロルミネッセンス表示デバイスの光取り出し方式は、ボトムエミッション方式であってもよいし、トップエミッション方式であってもよい。
【００６０】
尚、反射層は、例えばアルミニウムを含んで構成されている。或いは、アルミニウムに限らずとも、反射率の高い金属或いは物体であれば反射層を構成可能である。
【００６１】
更に、反射層は、後述の如くエレクトロルミネッセンス発光層に電圧を印加する一対の電極の一方（例えば、後述の金属電極層）であってもよいし、或いは光の反射のために設けられる例えば後述の反射板であってもよい。
【００６２】
上述の如く反射層を有する表示デバイスの態様では、前記反射層は、前記エレクトロルミネッセンス発光層に対して前記裏側から駆動電圧を印加する一対の電極の一方として機能する金属電極層からなるように構成してもよい。
【００６３】
このように構成すれば、エレクトロルミネッセンス表示デバイスに用いられる電極を、反射層として用いることが可能となる。従って、反射層は、反射のために用いるのみならず、エレクトロルミネッセンス発光層に電圧を印加する電極としても用いることが可能である。
【００６４】
上述の如く反射層が一対の電極の一方として機能する金属電極層からなる表示デバイスの態様では、前記一対の電極の他方は、前記表示画面を基準とする前記エレクトロルミネッセンス発光層の前側に配置された透明電極層からなるように構成してもよい。
【００６５】
このように構成すれば、金属電極層及び透明電極層の間に配置されたエレクトロルミネッセンス発光層から発せられた光及び該光が金属電極層によって反射された光を、透明電極層を介して表示画面側（即ち、表示画面を基準とするエレクトロルミネッセンス発光層の前側）に伝搬することが可能となる。従って、エレクトロルミネッセンス発光層から発せられた光により、表示画面に適切に画像を表示することで、該画像を適切に観察者に視覚させることが可能となる。
【００６６】
尚、金属電極層の存在しない透光性部分に、エレクトロルミネッセンス発光層は存在しなくてもよいし存在してもよい。仮に、存在しても、金属電極層が存在しなければ、当該透光性部分において、エレクトロルミネッセンス発光層は、発光しないので、結局、発光部として機能することはない。
【００６７】
以上、本発明の表示装置に係る実施形態によれば、第１表示手段と第２表示手段とを備える。このため、立体表示用の画像を変化させることなく、観察者に適切に視覚させることが可能となる。又、本発明の表示デバイスに係る実施形態によれば、複数の発光部と複数の透過部とを備える。このため、所望の画像を適宜表示可能であると共に、光透過性を有する構成を採ることが可能となる。また、本発明の表示装置に係る実施形態によれば、動画或いは静止画にかかわらず、同様の効果、即ち、観察者は、立体的な画像を視覚することが可能となる。
【００６８】
【実施例】
以下、図面を参照して本発明の表示装置及び表示装置に係る実施例について説明する。
【００６９】
（表示装置の実施例）
以下、図１から図４を参照して、本発明の表示装置に係る表示装置の実施例について説明する。
【００７０】
（１）表示装置の基本構成
図１を参照して、本発明の表示装置に係る実施例の基本構成について説明する。ここに、図１は、本発明の表示装置に係る実施例の構成を示すブロック図である。
【００７１】
図１に示すように表示装置１は、前画面１１と、前画面１１の後方に配置された後画面１２と、前画面１１及び後画面１２に表示する画像を発生する画像発生部１４と、画像発生部１４からの画像信号を前画面１１に表示する第一駆動部１５と、画像発生部１４からの画像信号を後画面１２に表示する第二駆動部１６と、表示装置１の全体制御を行う制御部１７とを備えて構成されている。
【００７２】
前画面１１及び後画面１２は、表示装置１の画像表示部を形成し、観察者からの視線Ｌに対して、所定の間隔を有して相前後して配置されている。前画面１１は、前方に配置され、後画面１２は後方に配置されている。前画面１１は、後方にある後画面１２の画像を透過して観察者が視覚することが可能となるために、光透過性を必要とし、例えば上述の有機ＥＬ表示デバイスが用いられる。他方、後方に配置される後画面１２は、有機ＥＬ表示デバイスであっても良く、又、光透過性の必要はないのでブラウン管表示デバイスやプラズマ表示デバイス、電界電子放出表示デバイス或いは液晶表示デバイスであってもよい。
【００７３】
本実施例では特に、前画面１１は、光を発する発光部１１−１と、後画面１２から発せられる光を透過する透過部１１−２とを夫々複数備えた、後述するような本実施例に係る表示デバイスによって構成されている。前画面１１は、当該発光部１１−１により発せられた光により立体表示用の画像を形成する。又、透過部１１−２は、後画面１２により発せられた光を透過し、観察者に後画面１２に表示される立体表示用の画像を視覚させる。これにより、離散的ではあるが、観察者は立体的な画像を認識することが可能となる。更に、その輝度を増減することで前画面１１及び後画面１２の間に画像があるかのごとく、立体的な画像を表示することが可能である。即ち、輝度変調方式の立体表示も可能である。
【００７４】
尚、発光部１１−１及び透過部１１−２は、一つの画素毎に一つの発光部１１−１と一つの透過部１１−２とを有していてもよい。或いは、複数の画素毎に一つの発光部１１−１と透過部１１−２とを有していてもよい。いずれの場合も、発光部１１−１と透過部１１−２は、図１に示すように互いに隣り合うように、即ち格子状パターンに基づいて配置されるのが好ましい。但し、それ以外のパターンに基づいて配置されていてもよい。
【００７５】
又、後画面１２は、その画面全体が発光するものであってもよい。或いは、前画面１２の発光部１１−１と同様に、光を発する発光部１２−１（図４参照）をその一部に有するものであってもよい。いずれにせよ、後画面１２の発光部１２−１から発せられた光は、前画面１１の透過部１１−２を透過することで、後画面１２には適切な画像を表示可能である。
【００７６】
画像発生部１４は、前画面１１及び後画面１２に表示される画像を発生し、記憶している。又、外部から入力される画像、例えばパソコン等で作成された画像を所定の記録エリアに記録しておき、必要に応じて読み出すようにしてもよい。単位としての画像は夫々個別に管理されていて、独立して表示のための処理が可能である。前画面１１及び後画面１２の何れに表示させるかは勿論、例えば表示の位置、大きさ、明るさ、色相、表示形態、画像変形等についても個別に制御可能である。
【００７７】
第一駆動部１５及び第二駆動部１６は、前画面１１及び後画面１２を夫々表示駆動するためのものであり、画像発生部１４で形成された前画面１１又は後画面１２用の画像信号に基づいて表示駆動する。制御部１７の制御に基づいて、表示のタイミングや点滅等の装飾的で効果的な駆動を行う機能を持たせても良い。
【００７８】
制御部１７は、表示装置１の全体的な制御を行う。立体的な画像の表示に関しては、前画面１１及び後画面１２の表示形態、例えば輝度や大きさ等を設定し、画像発生部１４に対して夫々に表示させる画像信号を発生させる。又、第一駆動部１５及び第二駆動部１６の動作を制御する。
【００７９】
（２）表示装置の動作原理
次に、図２から図４を参照して、本発明の表示装置に係る実施例の動作原理について説明する。ここに、図２は、本発明の表示装置に係る実施例の発光の様子を模式的に示す断面図であり、図３は、本発明の表示装置に係る実施例の比較例を模式的に示す断面図であり、図４は、本発明の表示装置に係る実施例の他の発光の様子を模式的に示す断面図である。
【００８０】
図２に示すように、前画面１１は、複数の発光部１１−１と複数の透過部１１−２とを有する。この場合、一つの発光部１１−１と一つの透過部１１−２との組み合わせにより、前画面１１の一つの画素が形成されることが好ましい。但し、例えば後述するように、一つの発光部１１−１及び一つの透過部１１−２の夫々が一つの画素を形成するようにしてもよい。
【００８１】
光透過性を有する前画面１１の発光部１１−１から発せられた光は、観察者の側及び観察者の側とは反対の側へ向かって伝搬する。即ち、発光部１１−１から発せられた光のうち５０パーセントは観察者の側へ伝搬し、残り５０パーセントの光は観察者の側とは反対の側へ伝搬する。ここで、観察者の側とは反対の側へ向かって伝搬する光は、例えば後述の金属電極１１４（図５参照）或いは反射板１１９（図６参照）によって反射され、観察者の側へと伝搬することとなる。これにより、観察者の側とは反対の側へ伝搬した光を、適切に観察者の側へ無駄なく反射させることが可能となる。即ち、発光部１１−１から発せられた光は、その１００％が観察者の側へ伝搬することとなる。
【００８２】
従って、一つの画素を発光部１１−１と透過部１１−２とに分割しても、一つの画素全体として発せられる光量は変化しないこととなる。このため、前画面１１において、発光部１１−１及び透過部１１−２に画素分割していない画面に表示される画像と同等の画像を表示可能となる。また、透過部１１−２は、光を発することはない。
【００８３】
そして、複数の発光部１１−１により、前画面１１に立体表示用の画像が表示される。ここで、実際に前画面１１に表示される画像は、その透過部１１−２に該当する部分の画像が表示されていない状態となっている。しかしながら、一つの画素は観察者の目で識別困難或いは不可能なほど小さい単位で構成されているため、当該画像は、観察者から見て、従来の画面（即ち、透過部１１−２を有していない表示手段）に表示される画像と比較して、変化のない画像を視覚することとなる。
【００８４】
一方、後画面１２により発せられた光は、透過部１１−２を透過して、観察者に視覚されることとなる。この場合、後画面１２より発せられた光のうち発光部１１−１へ伝搬する光は、例えば後述の金属電極（図５参照）或いは反射板（図６参照）によって反射され、観察者に視覚されることはない。即ち、透過部１１−２に伝搬する光のみを観察者は視覚することとなる。
【００８５】
ここで、本発明の表示装置に係る実施例の比較例として、仮に前画面１１を発光部１１−１と透過部１１−２とに分割していない場合の表示装置について説明する。
【００８６】
図３に示すように、前画面１１ａ及び後画面１２はその全体が発光することとなる。この場合、前画面１１ａから発せられた光のうち観察者の側とは反対の側へ伝搬する光は、後画面１２の表面においてその一部或いは全部が反射することとなる。このため、観察者は、この反射光を後画面１２に映り込んだ画像として視覚することとなる。即ち、観察者は、前画面１１ａ及び後画面１２に表示される画像に加えて、前画面１１ａに表示される画像が後画面１２によって反射された画像を同時に視覚することとなる。このような状況は、複数の画像を観察者の視線上において重ねて視覚させる立体表示方式においては、適切な立体感のある画像を表示することが困難或いは不可能という状態を発生させる要因ともなりうる。
【００８７】
しかるに本発明の表示装置に係る実施例によれば、上述の比較例において見られる前画面１１ａから後画面１２へ伝搬する光をなくすことが可能となる。このため、前画面１１に表示される画像が、後画面１２の画面上に映り込むことを防止することが可能という大きな利点を有する。従って、前画面１１及び後画面１２の夫々に表示される画像を、観察者の視線上において適切に重ねて表示可能となる。これにより、観察者は、前画面１１及び後画面１２に表示される画像のみを適切に視覚することが可能となり、その結果、適切な立体感のある画像を視覚することが可能となる。
【００８８】
又、図４に示すように、複数の第２発光部１２−１をその一部に備える後画面１２ａを備えた表示装置１０１であっても表示装置１００と同様の効果を得ることが可能となる。加えて、後画面１２ａの一部の領域のみを発光させるのみで足り、消費電力量を低減可能という大きな利点を有する。
【００８９】
尚、この場合、前画面１１の透過部１１−２の後方に後画面１２ａの発光部１２−１が形成されるのが好ましい。即ち、後画面１２ａの発光部１２−１から発せられた光が適切に前画面１１の透過部１１−２を透過するように発光部１２−１が形成されるのが好ましい。これにより、発光部１２−１から発せられた光が、前画面１１の発光部１１−１に設けられた例えば後述の金属電極（図５参照）或いは反射板（図６参照）によって反射されることを防止することが可能となる。従って、反射される光がノイズ光として観察者に視覚されることを防止することが可能となる。
【００９０】
（表示デバイスの実施例）
続いて、図５から図１１を参照して本発明の表示デバイスに係る実施例について説明する。
【００９１】
（１）表示デバイスの基本構成
図５から図７を参照して、本発明の表示デバイスに係る実施例の構成について説明する。ここに、図５は、本発明の表示デバイスに係る実施例の一の具体例を模式的に示す断面図であり、図６は、本発明の表示デバイスに係る実施例の他の具体例を模式的に示す断面図であり、図７は、本発明の表示デバイスに係る実施例の他の具体例を模式的に示す断面図である。
【００９２】
図５に示すように、本実施例に係る表示デバイス１は構成されている。即ち、表示デバイス１は、有機エレクトロルミネッセンス発光層１１１（以下、適宜“エレクトロルミネッセンス”を“ＥＬ”と称する）と、基板１１２と、ＩＴＯ（Ｉｎｄｉｕｍ  Ｔｉｎ  Ｏｘｉｄｅ：インジウム・スズ・オキサイド）電極（陽極）１１３と、金属電極（陰極）１１４と、絶縁膜１１５と、陰極隔壁１１６と、透明ガラス封止缶１１７とを備えて構成されている。即ち、表示デバイス１は、ボトムエミッション方式の有機ＥＬ表示デバイスにより構成されている。
【００９３】
有機ＥＬ発光層１１１は、何れも図示しない、正孔注入層、正孔輸送層、発光層、電子輸送層及び電子注入層を含んで構成されている。正孔注入層は、例えばＣｕＰｃ（銅フタロシアニン）により、正孔輸送層は、例えばＮＰＢ（Ｎ，Ｎ−ｄｉ（ｎａｐｈｔｈａｌｅｎｅ−１−ｙｌ）−Ｎ，Ｎ−ｄｉｐｈｅｎｙｌ−ｂｅｎｚｉｄｅｎｅ）により、発光層は、例えばＡｌｑ３（トリス（８−ヒドロキシキノリン）アルミニウム）により、電子輸送層は、例えばＢＣＰ（バソキュプロイン又はバトクプロイン：ｂａｔｈｏｃｕｐｒｏｉｎｅ）により、電子注入層は、例えばＬｉＦ（フッ化リチウム）により、それぞれ形成されている。尚、有機ＥＬ発光層１１１は表示デバイス１の一つの画素毎に一つ含まれていてもよいし、複数の画素毎に一つ含まれていてもよい。
【００９４】
尚、有機ＥＬ発光層１１１の夫々は、ＩＴＯ電極１１３及び金属電極１１４と共に格子パターンにて配置されていることが好ましい。
【００９５】
基板１１２は、有機ＥＬ発光層１１１を保護し、支持するためのものであり、例えばガラス基板を含んでなる。又、ポリマーフィルムを基板として用いてもよい。表示デバイス１においては、観察者は基板１１２を介して、有機ＥＬ発光層１１１の発光により形成される画像を視覚することとなる。
【００９６】
ＩＴＯ電極１１３は、本発明に係る「透明電極層」の一例であり、光透過性を有するアノード電極である。又、アノード電極として、ＩＴＯ電極に代えて、ＩＺＯ（Ｉｎｄｉｕｍ  Ｚｉｎｃ  Ｏｘｉｄｅ：インジウム・亜鉛・オキサイド）電極であってもよい。
【００９７】
金属電極１１４は、本発明に係る「金属電極層」の一例であり、ＩＴＯ電極１１３との間に形成される有機ＥＬ発光層１１１に電圧を印加する。電圧が印加された有機ＥＬ発光層１１１は発光することとなる。又、有機ＥＬ発光層１１１から発せられた光のうち、観察者の側とは反対の側（即ち、図５において基板１１２の反対側）へ伝搬する光を、基板１１２側へ反射する。このため、金属電極１１４は、反射率の高いアルミニウムで形成されることが好ましい。但し、光を反射可能であればこれに限らず金属電極１１４を形成することは可能である。
【００９８】
ここで、金属電極１１４は特に、有機ＥＬ発光層１１１の一部の領域上に形成され、該一部の領域にのみ電圧を印加する。金属電極１１４が形成されない有機ＥＬ発光層１１１の他の領域は、光を発することなく、光透過性を有することとなる。即ち、金属電極１１４とＩＴＯ電極１１３によってはさまれた有機ＥＬ発光層１１１の一部の領域が発光部１１−１を形成し、金属電極１１４が形成されていない有機ＥＬ発光層１１１の他の領域が透過部１１−２を形成することとなる。
【００９９】
尚、金属電極１１４が形成されない部分には、有機ＥＬ発光層１１１は形成されていなくともよい。この場合、金属電極１１４及びＩＴＯ電極１１４によってはさまれた有機ＥＬ発光層１１１が発光部１１−１を形成し、有機ＥＬ発光層１１１が形成されていない部分が透過部１１−２を形成することとなる。
【０１００】
絶縁膜１１５は、電流リークを抑えるためのものであり、例えばポリイミドによって、有機ＥＬ発光層１１１が形成される位置以外の基板上に形成される。
【０１０１】
陰極隔壁１１６は、陰極（即ち、金属電極１１４）形成の際に、任意の形状にパターニングするために、陰極が形成される部分を除いて絶縁膜１１５の上に形成される。
【０１０２】
透明ガラス封止缶１１７は、上述の構成要素を、外部の影響から保護するためのものである。或いは、透明ガラス封止缶に加えて或いは代えて、透明封止膜を用いてもよい。
【０１０３】
以上のように構成することで、有機ＥＬ発光層１１１から発せられる光により、表示デバイス１は、所望の画像を表示可能となる。更に、金属電極１１４が形成されていない部分は、光透過性を有するため、表示デバイス１の後方に存在する画像、映像、風景或いは物体を視覚することが可能となる。
【０１０４】
加えて、一つの有機ＥＬ発光層１１１の夫々を発光部１１−１と透過部１１−２とに分割することで、画面の精細度を変化させることなく、表示デバイス１に適切に画像を表示可能となる。
【０１０５】
又、図６に示したように、トップエミッション方式の有機ＥＬ表示デバイス用いても、上述した表示デバイス１と同様の効果を得ることが可能である。
【０１０６】
この場合、図６に示すように、表示デバイス２は、図５に示す金属電極１１４に代えて、本発明に係る「透明電極層」の一例たる透明電極１１８と、更に本発明に係る「反射層」の一例たる反射板１１９とを備える。
【０１０７】
透明電極１１８は、例えばＩＴＯを含んでなる光透過性を有するカソード電極である。又、透明電極１１８は、ＩＺＯを含む電極或いは薄膜状の金属電極であってもよい。透明電極１１８は、図５に示した金属電極１１４と同様に、有機ＥＬ発光層１１１の一部の領域上に形成され、発光部１１−１を形成する。
【０１０８】
反射板１１９は、例えばアルミニウム等の反射率の高い金属を含んで形成されている。反射板１１９は、透明電極１１８とＩＴＯ電極１１３との間の部分を占める有機ＥＬ発光部１１−１が発する光を観察者の側へ伝搬可能なように構成されている。従って、図１の場合と同様に、表示デバイス２により発せられた光は、その全てが観察者の側（即ち、図６において基板１１２と反対の側）へ伝搬することとなる。
【０１０９】
このような、トップエミッション方式の有機ＥＬ表示デバイスを用いても、図５に示す表示デバイス１と同様の効果を得ることが可能となる。
【０１１０】
更に、図５及び図６に示した例のように一つの有機ＥＬ発光層１１１毎に発光部１１−１及び透過部１１−２を形成しなくとも、図７に示すように、一つの有機ＥＬ発光層１１１を発光部１１−１とし、有機ＥＬ発光層１１１が形成されていない部分を透過部１１−２とする構成をとる表示デバイス３であっても本実施例に係る表示デバイスと同様の効果を得ることが可能である。
【０１１１】
図７に示すように、表示デバイス３は、有機ＥＬ発光層１１１が形成される領域が発光部１１−１を形成し、有機ＥＬ発光層１１１及び陰極隔壁１１６の何れもが形成されない領域が透過部１１−２を形成している。この場合、発光部１１−１と透過部１１−２とが互いに隣り合うように有機ＥＬ発光層１１１が形成されるのが好ましい。但し、互いに隣り合うように有機ＥＬ発光層１１１が形成されていなくともよい。
【０１１２】
（２）表示デバイスの製造方法
続いて、図８から図１１を参照して、本発明の表示デバイスに係る実施例、特に表示デバイス１の製造方法について説明する。ここに、図８は、製造工程における一の過程を模式的に示す断面図であり、図９は、製造工程における他の過程を模式的に示す断面図であり、図１０は、製造工程における他の過程を模式的に示す断面図であり、図１１は、製造工程が終了した後の表示デバイスを模式的に示す断面図である。
【０１１３】
本発明の実施例に係る表示デバイスを製造するにあたり、まず、図８に示すように、基板１１２を用意する。
【０１１４】
次に、図８に示すように、基板１１２のいずれか一方の表面にＩＴＯ電極１１３を形成する。具体的には、まず、基板１１２のいずれか一方の表面にスパッタリング等によりパターンニングを行い、ＩＴＯ電極１１３を形成する。
【０１１５】
次に、図１０に示すように、基板１１２上に形成したＩＴＯ電極上に、絶縁膜１１５、陰極隔壁１１６、有機ＥＬ発光層１１１、金属電極１１４を形成する。これらの部材の形成方法は、周知の方法を用いればよい。例えば、まず、絶縁膜１１５を、画素を形成すべき部分以外の部分にパターンニングを行って形成する。そして、その絶縁膜１１５上に、陰極隔壁１１６を形成する。次に、有機ＥＬ発光層１１１を、パターンマスクを用いて真空蒸着法により成膜し、有機ＥＬ発光層１１１上に、金属電極１１４を真空蒸着法により成膜する。ここで、金属電極１１４のパターンニングは、陰極隔壁法でなくマスクを用いて有機ＥＬ発光層１１１の一部の領域上に形成されるように行う。即ち、発光部１１−１に該当する部分にのみ金属電極１１４を形成し、金属電極１１４が形成されていない有機ＥＬ発光層１１１の領域は光透過性を有する透過部１１−２となる。
【０１１６】
次に、図１１に示すように、基板１１２の有機ＥＬ発光層１１１等が形成された側の面にて、有機ＥＬ発光層１１１、ＩＴＯ電極１１３、金属電極１１４、絶縁膜１１５及び陰極隔壁１１６を覆うように、ガラス封止缶１１７を形成する。
【０１１７】
以上の製造工程を経て、図１１に示す表示デバイス１が完成する。
【０１１８】
尚、有機ＥＬ発光層１１１は、発光部１１−１及び透過部１１−２の何れの領域にも形成されたが、発光部１１−１に該当する部分にのみ形成されてもよい。即ち、この場合、パターンマスクを所望の形状（即ち、発光部１１−１に該当する部分以外がマスクされている形状）にし、該パターンマスクにより有機ＥＬ発光層１１１を成膜してもよい。この場合、原料となる例えばＡｌｑ３（トリス（８−ヒドロキシキノリン）アルミニウム）の使用量を低減可能という、大きな利点を有する。
【０１１９】
尚、図５から図１１において示した有機ＥＬ発光層１１１は一つ又は二つであるが、説明の便宜上一つ又は二つの有機ＥＬ発光層１１１を有する表示デバイスに係る図にて説明したものであり、実際の表示デバイスにおいては、その使用態様により所望数の有機ＥＬ発光層１１１が形成されることとなる。
（表示装置の具体例）
次に、図１２から図１６を参照して、本発明の表示装置に係る実施例において、より具体的な例について説明する。ここに、図１２は、本発明の表示装置に係る実施例の一の具体例を模式的に示す断面図であり、図１３は、本発明の表示装置に係る実施例の他の具体例を模式的に示す断面図であり、図１４は、本発明の表示装置に係る実施例の他の具体例を模式的に示す断面図であり、図１５は、図１２に示す一の具体例を模式的に示す斜視図であり、図１６は、図１３に示す他の具体例を模式的に示す斜視図である。尚、図１２から図１６において、上述の本発明の表示デバイスに係る実施例と同様の構成要素には、同様の参照符号を付し、それらの説明は省略する。
【０１２０】
図１２に示すように、本実施例に係る表示装置１０２は構成されている。即ち、前画面１１ｂは、有機ＥＬ発光層１１１と、基板１１２と、ＩＴＯ（Ｉｎｄｉｕｍ  Ｔｉｎ  Ｏｘｉｄｅ：インジウム・スズ・オキサイド）電極（陽極）１１３と、金属電極（陰極）１１４と、絶縁膜１１５と、陰極隔壁１１６と、透明ガラス封止缶１１７とを備えて構成されており、後画面１２ｂは、有機ＥＬ発光層１２１と、基板１２２と、ＩＴＯ電極（陽極）１２３と、金属電極（陰極）１２４と、絶縁膜１２５と、陰極隔壁１２６と、透明ガラス封止缶１２７とを備えて構成されている。即ち、前画面１１ｂ及び後画面１２ｂは、共にボトムエミッション方式の有機ＥＬ表示デバイスを用いている。特に前画面１１ｂには、本発明の表示デバイスに係る実施例の一の具体例たる表示デバイス１を用いている。
【０１２１】
有機ＥＬ発光層１２１は、何れも図示しない、正孔注入層、正孔輸送層、発光層、電子輸送層及び電子注入層を含んで構成されている。正孔注入層は、例えばＣｕＰｃ（銅フタロシアニン）により、正孔輸送層は、例えばＮＰＢ（Ｎ，Ｎ−ｄｉ（ｎａｐｈｔｈａｌｅｎｅ−１−ｙｌ）−Ｎ，Ｎ−ｄｉｐｈｅｎｙｌ−ｂｅｎｚｉｄｅｎｅ）により、発光層は、例えばＡｌｑ３（トリス（８−ヒドロキシキノリン）アルミニウム）により、電子輸送層は、例えばＢＣＰ（バソキュプロイン又はバトクプロイン：ｂａｔｈｏｃｕｐｒｏｉｎｅ）により、電子注入層は、例えばＬｉＦ（フッ化リチウム）により、それぞれ形成されている。当該有機ＥＬ発光層１２１が後画面１２ｂの一つの画素を形成することとなる。尚、有機ＥＬ発光層１２１の夫々は、有機ＥＬ発光層１１１のそれぞれと相等しい大きさを有していることが好ましい。但し、相等しい大きさでなくともよい。
【０１２２】
基板１２２は、有機ＥＬ発光層１２１を保護し、支持するためのものであり、例えばガラス基板を含んでなる。又、ポリマーフィルムを基板として用いてもよい。
【０１２３】
ＩＴＯ電極１２３は、光透過性を有するアノード電極である。又、アノード電極として、ＩＴＯ電極に代えて、ＩＺＯ（Ｉｎｄｉｕｍ  Ｚｉｎｃ  Ｏｘｉｄｅ：インジウム・亜鉛・オキサイド）電極であってもよい。
【０１２４】
金属電極１２４は、例えばアルミニウムにより形成されている。該金属電極１２４とＩＴＯ電極１２３との間に電圧が印加され、電圧が印加された有機ＥＬ発光層１２１が発光することとなる、又、有機ＥＬ発光層１２１から発せられた光のうち、観察者の側とは反対の側へ伝搬する光を、基板１２２側へ反射する。このため、金属電極１２４は、反射率の高いアルミニウムで形成されることが好ましい。但し、光を反射可能であればこれに限らず金属電極１２４を形成することは可能である。
【０１２５】
尚、後画面１２ｂの金属電極１２４は、有機ＥＬ発光層１２１の全体に形成されていてもよいし、少なくとも前画面１１ｂの透過部１１−２を透過する光を発するように、有機ＥＬ発光層１２１の一部の領域上に形成されていてもよい。この場合、有機ＥＬ発光層１２１の発光する部分が、前画面１１ｂの透過部１１−２と対応するように金属電極１２４が形成されるのが好ましい。これにより、有機ＥＬ発光層１２１を発光させる消費電力を低減可能となるという大きな利点を有する。更に、後画面１２ｂから発せられた光が、前画面１１の金属電極１１４によって反射され、ノイズ光として観察者に視覚されるという不都合を防ぐことが可能となる。金属電極１２４が有機ＥＬ発光層１２１の一部の領域上に形成される場合には、有機ＥＬ発光層１２１は、金属電極１２４が形成されない部分には形成されていなくともよい。
【０１２６】
絶縁膜１２５は、電流リークを抑えるためのものであり、例えばポリイミドによって、有機ＥＬ発光層１２１が形成される位置以外の基板上に形成される。
【０１２７】
陰極隔壁１２６は、陰極（即ち、金属電極１２４）形成の際に、任意の形状にパターニングするために、陰極が形成される部分を除いて絶縁膜１２５の上に形成される。
【０１２８】
透明ガラス封止缶１２７は、上述の構成要素を、外部の影響から保護するためのものである。或いは、透明ガラス封止缶に加えて或いは代えて、透明封止膜を用いてもよい。
【０１２９】
尚、後画面１２ｂは、周知の方法を用いて製造可能である。或いは、有機ＥＬ発光層１２１の一部の領域上に金属電極１２４を形成する場合には、図４から図７で説明した方法で製造可能である。
【０１３０】
以上のように構成することで、前画面１１ｂから発せられた光が、後画面１２ｂへ伝搬し、当該光が例えば基板１２２に写り込んで観察者に視覚されるという不都合を防ぐことが可能となる。即ち、前画面１１ｂ及び後画面１２ｂの夫々に表示される画像を適切に観察者の視線上において重ねて視覚させることが可能となる。更に、一つの有機ＥＬ発光層１１１を発光部１１−１と透過部１１−２とに分割することで画素数を減少させることなく、即ち画面の精細度を変化させることなく、前画面１１ｂに立体表示用の画像を表示することが可能となる。従って、観察者は、前画面１１ｂ及び後画面１２ｂの夫々に表示される画像を、視線上において適切に重ねて視覚することで、好適に立体感のある画像を視覚することが可能となる。
【０１３１】
尚、観察者は、前画面１１ｂの有機ＥＬ発光層１１１の発光と、該有機ＥＬ発光層１１１に対応した後画面１２ｂの有機ＥＬ発光層１２１の発光とを視線上において重ねて視覚し、一つの画素として認識することとなる。
【０１３２】
加えて、有機ＥＬ発光層１２１の発光する部分が、前画面１１ｂの透過部１１−２と対応するように金属電極１２４が有機ＥＬ発光層１２１の一部の領域上に形成されていれば、ノイズ光の発生を低減或いは防止することが可能となる。従って、観察者は前画面１１ｂ及び後画面１２ｂの夫々に表示される画像を視線上においてより適切に重ねて視覚することが可能となる。但し、このように金属電極１２４を形成しなくとも、観察者は前画面１１ｂ及び後画面１２ｂの夫々に表示される画像を視線上において適切に重ねて視覚することは可能である。
【０１３３】
又、前画面１１及び後画面１２の双方にボトムエミッション方式の有機ＥＬ表示デバイスを用いなくとも、例えば、前画面１１にトップエミッション方式の有機ＥＬ表示デバイス（即ち、本発明の表示デバイスに係る実施例の一の具体例たる表示デバイス２）を用いても、上述の如き本実施例に係る表示装置と同様の効果を得ることが可能である。
【０１３４】
更に、一つの有機ＥＬ発光層１１１毎に発光部１１−１及び透過部１１−２を形成しなくとも、図１３に示すように、一つの有機ＥＬ発光層１１１を発光部１１−１とし、有機ＥＬ発光層１１１が形成されない部分を透過部１１−２とする構成をとる表示装置１０３であっても本実施例に係る表示装置と同様の効果を得ることが可能である。
【０１３５】
図１３に示すように、前画面１１ｃは、有機ＥＬ発光層１１１が形成される領域に発光部１１−１を形成し、有機ＥＬ発光層１１１及び陰極隔壁１１６の何れもが形成されない領域に透過部１１−２を形成している。この場合、発光部１１−１と透過部１１−２とが互いに隣り合うように有機ＥＬ発光層１１１が形成されるのが好ましい。
【０１３６】
又、後画面１２ｃは、前画面１１ｃの透過部１１−２を透過する光を発するように有機ＥＬ発光層１２１が形成されている。この場合、前画面１１ｃの有機ＥＬ発光層１１１と、該有機ＥＬ発光層１１１の発する光と観察者の視線上において重ねて視覚される光を発する後画面１２ｃの有機ＥＬ発光層１２１とが一つの画素を形成することとなる。尚、後画面１２ｃは、前画面１１ｃの発光部１１−１に向かって伝搬する光を発するような有機ＥＬ発光層１２１が更に形成されていてもよい。
【０１３７】
以上のような構成であっても、図１２に示した表示装置１０２と同様の効果を得ることが可能となる。即ち、前画面１１ｃから発せられた光が、後画面１２ｃへ伝搬し、当該光が例えば基板１２２に写り込んで観察者に視覚されるという不都合を防ぐことが可能となる。
【０１３８】
更に、有機ＥＬ表示デバイスを用いた形態では、図１４に示すように、一枚の基板の一方の表面上に前画面１１ｄを形成し、他方の表面上に後画面１１ｄを形成した有機ＥＬ表示デバイスからなる表示装置１０４であっても、本実施例に係る表示装置と同様の効果を得ることが可能となる。
【０１３９】
このように構成しても、上述の図１２及び図１３に係る表示装置１０２及び１０３と同様に、前画面１１ｄから発せられた光が、後画面１２ｄへ伝搬し、当該光が例えば基板１２２に写り込んで観察者に視覚されるという不都合を防ぐことが可能となる。
【０１４０】
続いて、図１５に示すように、図１２に示した前画面１１ｂ及び後画面１２ｂの斜視図により一つの有機ＥＬ発光層１１１ごとに発光部１１−１及び透過部１１−２の夫々が形成されている表示装置１０２について説明する。尚、図１５においては、図１２中において説明した構成部分のうち一部の構成部分のみを抜き出して示している。
【０１４１】
この場合、金属電極１１４（１２４）と、ＩＴＯ電極１１３（１２３）とが交差する部分に形成された有機ＥＬ発光層１１１（１２１）にのみ電圧が印加され、発光部１１−１を形成する。尚、上述したように、有機ＥＬ発光層１１１（１２１）は、金属電極１１４（１２４）と、ＩＴＯ電極１１３（１２３）とが交差する部分にのみ形成されるような構成であってもよい。尚、図１５においては、金属電極１２４は、有機ＥＬ発光層１２１の一部の領域上に形成され、透過部１１−２を透過する光を発するように形成されている。
【０１４２】
続いて、図１６に示すように、図１３に示した前画面１１ｃ及び後画面１２ｃの斜視図により一つの有機ＥＬ発光層１１１が発光部１１−１を形成している表示装置１０３について説明する。尚、図１６においては、図１３中において説明した構成部分のうち一部の構成部分のみを抜き出して示している。
【０１４３】
この場合、金属電極１１４（１２４）が形成されている画素のみが発光することとなり、金属電極１１４（１２４）が形成されていない部分は発光することなく、透過部１１−２となる。又、透過部１１−２となる部分については、有機ＥＬ発光層１１１は形成されていなくともよい。即ち、透過部１１−２となる部分は、後画面１２ｃにより発せられる光を透過可能であればよい。尚、図１６においては、金属電極１２４は、透過部１１−２を透過する光を発するように、所定の領域上に形成されている。金属電極１２４が形成されていない領域には、有機ＥＬ発光層１２４は形成されていなくともよい。
【０１４４】
尚、本実施例においては、二つの画面（即ち、前画面１１及び後画面１２）を有する表示装置について説明したが、三つ以上の画面を有する表示装置であっても、同様の効果を得ることが可能である。この場合、夫々の画面における発光部と透過部とを、上述の実施例に従って夫々対応させて配置することが好ましい。即ち、一の画面の発光部が出射する光は、一の画面の前方に配置される画面の透過部を透過し、一の画面の透過部は、一の画面の後方に配置される画面の発光部が出射する光を透過するように構成することが好ましい。
【０１４５】
本発明は、上述した実施形態並びに実施例に限られるものではなく、請求の範囲及び明細書全体から読み取れる発明の要旨或いは思想に反しない範囲で適宜変更可能であり、そのような変更を伴う表示装置も又本発明の技術思想に含まれるものである。
【図面の簡単な説明】
【図１】本発明の表示装置に係る実施例の構成を示すブロック図である。
【図２】本発明の表示装置に係る実施例の構成を概念的に示す模式図である。
【図３】本発明の表示装置に係る実施例の比較例として、従来の構成による表示装置を概念的に示す模式図である。
【図４】本発明の表示装置に係る実施例の他の構成を概念的に示す模式図である。
【図５】本発明の表示デバイスに係る実施例の一の構成に係る具体例を模式的に示す断面図である。
【図６】本発明の表示デバイスに係る実施例の他の構成に係る具体例を模式的に示す断面図である。
【図７】本発明の表示デバイスに係る実施例の他の構成に係る具体例を模式的に示す断面図である。
【図８】本発明の表示デバイスに係る実施例の製造時の一の形態を模式的に示す断面図である。
【図９】本発明の表示デバイスに係る実施例の製造時の他の形態を模式的に示す断面図である。
【図１０】本発明の表示デバイスに係る実施例の製造時の他の形態を模式的に示す断面図である。
【図１１】本発明の表示デバイスに係る実施例の製造時の他の形態を模式的に示す断面図である。
【図１２】本発明の表示装置に係る実施例において、有機ＥＬ表示デバイスを用いた場合の一の具体例を模式的に示す断面図である。
【図１３】本発明の表示装置に係る実施例において、有機ＥＬ表示デバイスを用いた場合の他の具体例を模式的に示す断面図である。
【図１４】本発明の表示装置に係る実施例において、有機ＥＬ表示デバイスを用いた場合の他の具体例を模式的に示す断面図である。
【図１５】本発明の表示装置に係る実施例において、有機ＥＬ表示デバイスを用いた場合の一の具体例を模式的に示す斜視図である。
【図１６】本発明の表示装置に係る実施例において、有機ＥＬ表示デバイスを用いた場合の他の具体例を模式的に示す斜視図である。
【符号の説明】
１、２、３、４・・・表示デバイス
１１、１１ａ、１１ｂ、１１ｃ・・・前画面
１１−１・・・発光部
１１−２・・・透過部
１２、１２ａ、１２ｂ、１２ｃ・・・後画面
１４・・・画像発生部
１５・・・第一駆動部
１６・・・第二駆動部
１７・・・制御部
１００、１０１、１０２、１０３、１０４・・・表示装置
１１１、１２１・・・有機ＥＬ発光層
１１４、１２４・・・金属電極
１１８・・・透明電極
１１９・・・反射板
【図１】
2004226857.tif 000003
【図２】
2004226857.tif 000004
【図３】
2004226857.tif 000005
【図４】
2004226857.tif 000006
【図５】
2004226857.tif 000007
【図６】
2004226857.tif 000008
【図７】
2004226857.tif 000009
【図８】
2004226857.tif 000010
【図９】
2004226857.tif 000011
【図１０】
2004226857.tif 000012
【図１１】
2004226857.tif 000013
【図１２】
2004226857.tif 000014
【図１３】
2004226857.tif 000015
【図１４】
2004226857.tif 000016
【図１５】
2004226857.tif 000017
【図１６】
2004226857.tif 000018